(57)【要約】      （修正有）【課題】鱗の飛散が格段に軽減されるとともに、構造が極めて簡単であり、安価で、又鱗取り作業も簡便でかつ使用後の清掃も容易な鱗取り器具を提供する。【解決手段】鱗取り部材１と該部材に取り付けられた操作棒２とよりなり、前記鱗取り部材は前記操作棒の長手方向の前部及び後部を開放端とした中空筒体からなる鱗取り本体４と前記鱗取り本体に一体的に形成され且つ前記前部及び後部先端部において刃部７が櫛歯状に設けられた掻取部８とよりなるとともに、前記掻取部は魚の表皮との擦接面に対し５〜３０度の角度をなして延在させる。【選択図】図１
0003160586.tif 000002
【実用新案登録請求の範囲】
【請求項１】
鱗取り部材と該部材に取り付けられた操作棒とよりなり、前記鱗取り部材は前記操作棒の長手方向の前部及び後部を開放端とした中空筒体からなる鱗取り本体と前記鱗取り本体に一体的に形成され且つ前記前部及び後部先端部において刃部が櫛歯状に設けられた掻取部とよりなることを特徴とする鱗取り器具。
【請求項２】
鱗取り部材と該部材に取り付けられた操作棒とよりなり、前記鱗取り部材は前記操作棒の長手方向の前部及び後部を開放端とした中空筒体からなる鱗取り本体と前記鱗取り本体に一体的に形成され且つ前記前部及び後部先端部において刃部が櫛歯状に設けられた掻取部とよりなるとともに、前記掻取部は魚の表皮との擦接面に対し５〜３０度の角度をなして延在していることを特徴とする鱗取り器具。
【請求項３】
前記鱗取り本体と前記掻取部とよりなる前記鱗取り部材は全体として凹状面に形成されていることを特徴とする請求項１又は２に記載の鱗取り器具。
【考案の詳細な説明】
【技術分野】
【０００１】
本考案は、各種魚類の鱗取り器具に関し、特に構造が極めて簡単で、かつ作業時において鱗の飛び散りが少ない鱗取り器具に関するものである。
【背景技術】
【０００２】
従来、この種の鱗取り器具は、商品としてもいくつかの器具が販売され、又、多数の提案がある。
【０００３】
例えば、鱗を剥ぎ取る際の飛散がほとんど発生せず、魚の身割れ防止作用を有する鱗取り器具（例えば、特許文献１参照）、鱗を歯で引っ掻き落す構造をとらず鱗の四方への飛び散りを防止する鱗取り器具（例えば、特許文献２又は３参照）などである。
【先行技術文献】
【特許文献】
【０００４】
【特許文献１】特開２００７−３３０４９２号公報
【特許文献２】特開２００２−２８２１４０号公報
【特許文献３】特開２００７−３３０４９２号公報
【考案の概要】
【考案が解決しようとする課題】
【０００５】
特許文献１に開示された器具は、操作杆の先端部に所定の曲率を保持して湾曲形成された掻取部材を所定角度（例えば６０°）だけ傾斜して固着し、さらに掻取部材は操作杆に対面する凸状斜面部を備えるという比較的複雑な構成である。
【０００６】
特許文献２に開示の器具は、把手部に連結された鱗取部が芯材部と同芯材部に被装された弾性体よりなる擦取部より構成されるもので、擦取部を魚の表皮に当接し魚の表皮に沿って鱗取方向に擦動させることにより鱗を取り去るようにしたものである。これは鱗を歯で引っ掻き落す構造でないこと、及び鱗取部が弾性体よりなるので、魚の傷つけが確実に防止されることを意図している。
【０００７】
又、特許文献３に開示の器具は、特許文献２に開示の器具の改良とされるもので、鱗取部の擦接面を略凹状面状に形成し、擦接面が魚の表皮に密着し得るようになし鱗をより確実に取り去ることを意図している。
【０００８】
しかしながら、特許文献２及び３に開示の器具も、芯材部とその芯材部を覆うように形成された弾性体を備えねばならず、構造が複雑で尚鱗取り作業も簡便とは思われない。
【０００９】
本考案は、これら従来例よりも構造が極めて簡単で従って安価で、かつ使い勝手の良い器具を提供するものである。
【課題を解決するための手段】
【００１０】
本考案請求項１に係る考案は、鱗取り部材と該部材に取り付けられた操作棒とよりなり、前記鱗取り部材は前記操作棒の長手方向の前部及び後部を開放端とした中空筒体からなる鱗取り本体と前記鱗取り本体に一体的に形成され且つ前記前部及び後部先端部において刃部が櫛歯状に設けられた掻取部とよりなることを特徴とする鱗取り器具を提供する。
【００１１】
本考案請求項２に係る考案は、鱗取り部材と該部材に取り付けられた操作棒とよりなり
、前記鱗取り部材は前記操作棒の長手方向の前部及び後部を開放端とした中空筒体からなる鱗取り本体と前記鱗取り本体に一体的に形成され且つ前記前部及び後部先端部において刃部が櫛歯状に設けられた掻取部とよりなるとともに、前記掻取部は魚の表皮との擦接面に対し５〜３０度の角度をなして延在していることを特徴とする鱗取り器具を提供する。
【００１２】
本考案請求項３に係る考案は、前記鱗取り本体と前記掻取部とよりなる前記鱗取り部材は全体として凹状面に形成されていることを特徴とする請求項１又は２に記載の鱗取り器具を提供する。
【考案の効果】
【００１３】
本考案は、以上のような構成よりなる鱗取り器具であり、従来広く使われている魚皮にほぼ直角に掻取り用の歯を当てて鱗を引っ掻き落す構造のものに比べ、鱗の飛散が軽減される。特に、鱗取り本体の形状を操作棒の長手方向の前部及び後部を開放端とした中空筒体としているので、鱗を引っ掻き落とすときは落とされた鱗が中空筒体の後部開放端から入り徐々に前部開放端の方に押し出される。また、押すようにして鱗を取るときは落とされた鱗が中空筒体の前部開放端から入り徐々に後部開放端の方に押し出される。その結果、鱗の飛散が格段に軽減されることになる。
【００１４】
また、前述の特許文献１〜３に比し、構造が極めて簡単であり、安価で、又鱗取り作業も簡便でかつ使用後の清掃も容易である。
【図面の簡単な説明】
【００１５】
【図１】本考案の一実施例における鱗取り器具の斜視図である。
【図２】本考案の一実施例における鱗取り器具の下面図である。
【図３】本考案の一実施例における鱗取り器具の一部切欠側面図である。
【図４】本考案の他の実施例における鱗取り器具の斜視図である。
【考案を実施するための形態】
【００１６】
本考案の実施例につき、図面を参照しながら以下説明する。図１は本考案の一実施例における鱗取り器具の斜視図、図２は同器具の下面図、図３は同器具の側面図である。
【００１７】
図１〜図３において、１はアルミニウム製の鱗取り部材であり、同部材１に木製の操作棒２がビス３により取り付けられている。前記鱗取り部材１は前記操作棒の長手方向の前部５及び後部６を開放端とした中空筒体からなる鱗取り本体４と前記操作棒２の長手方向の前部５及び後部６先端部において刃部７が櫛歯状に設けられ且つ前記鱗取り本体４に一体的に形成された掻取部８とよりなる。なお、１５は前部開放端を、１６は後部開放端をそれぞれ示す。
【００１８】
更に、掻取部８は魚の表皮との擦接面９に対する角度Ｘを、図示例では約１７度としている。
【００１９】
また、鱗取り部材１は前記鱗取り本体４と前記掻取部８とよりなるが、全体として凹状面１０になるよう形成される。
【００２０】
上記において、鱗取り部材はアルミニウムに限らず、ステンレス鋼、その他の金属又は硬いプラスチックなども採用でき、操作棒も木に限らず金属、プラスチックなども採用できる。
【００２１】
又、掻取部８は魚の表皮との擦接面９に対する角度は、５〜３０度が望ましく、３０度を超えると刃部７が鱗を引っ掻き落すようになり鱗の飛び散り方が多くなり、５度未満で
は掻取部８の魚の表皮への密着性にやや難がある。
【００２２】
更に又、刃部７は図示のように櫛歯状に設けているが刃部それぞれの大きさ、その数などは、魚の大きさ、鱗の種類などで適宜選択することができるが特に限定はない。
【００２３】
図４は、本考案の他の実施例における鱗取り器具の斜視図であり、前述の実施例と異なるところは、鱗取り部材１に一体的にパイプ状部材１１を取りつけ、そのパイプ状部材１１に操作棒２を嵌挿することにより鱗取り部材１に操作棒を取りつけている。
【００２４】
本考案器具の使い方の例としては、以下の通りである。魚の尾部を手前側にして表皮に掻取部８、特に後部６の刃部７を当て、操作棒２を手前に引くようにして鱗の大方を取る。その作業の後、胸びれ、背びれなどひれの際近くの鱗は、魚はそのままの状態又は適宜角度をかえて置き、前部５の刃部７を所定箇所に当て、操作棒２を押すようにすれば、残存の鱗を容易に又きちんと取り除くことができた。取り除かれた鱗は前述のごとく、開放端１６又は１５より入り、それぞれ他方の開放端１５又は１６の方に押し出されるように移動し、四方に飛び散ることが極めて少なくなった。
【００２５】
なお、本考案は、以上の実施例に限らず、種々の実施例をもって実現できることはいうまでもない。
【符号の説明】
【００２６】
１  鱗取り部材
２  操作棒
３  ビス
４  鱗取り本体
５  前部
６  後部
７  刃部
８  掻取部
９  擦接面
１０  凹状面
１１  パイプ状部材
１５  前部開放端
１６  後部開放端
【図１】
0003160586.tif 000003
【図２】
0003160586.tif 000004
【図３】
0003160586.tif 000005
【図４】
0003160586.tif 000006
【手続補正書】
【提出日】平成22年4月19日(2010.4.19)
【手続補正１】
【補正対象書類名】明細書
【補正対象項目名】００１２
【補正方法】削除
【補正の内容】
【手続補正２】
【補正対象書類名】実用新案登録請求の範囲
【補正対象項目名】全文
【補正方法】変更
【補正の内容】
【実用新案登録請求の範囲】
【請求項１】
鱗取り部材と該部材に取り付けられた操作棒とよりなり、前記鱗取り部材は前記操作棒の長手方向の前部及び後部を開放端とした中空筒体からなる鱗取り本体と前記鱗取り本体に一体的に形成され且つ前記前部及び後部先端部において刃部が櫛歯状に設けられた掻取部とよりなることを特徴とする鱗取り器具。
【請求項２】
鱗取り部材と該部材に取り付けられた操作棒とよりなり、前記鱗取り部材は前記操作棒の長手方向の前部及び後部を開放端とした中空筒体からなる鱗取り本体と前記鱗取り本体に一体的に形成され且つ前記前部及び後部先端部において刃部が櫛歯状に設けられた掻取部とよりなるとともに、前記掻取部は魚の表皮との擦接面に対し５〜３０度の角度をなして延在していることを特徴とする鱗取り器具。